(57)【要約】【課題】  鍵盤蓋の開閉操作が容易にできると共に、鍵盤蓋を安全に開閉することができ、且つ楽器全体の小型化を図ることができる鍵盤蓋の蓋開閉装置を提供する。【解決手段】  鍵盤蓋１０の両側に、それ自体が回転する際に負荷が付与されて制動されるダンパ歯車部材１２を回転自在に設け、楽器本体１内の側板２の内面後部に、鍵盤蓋１０が閉じた状態から所定角度に開いた際にダンパ歯車部材１２を制動させながらガイドするガイド部材１３を、後部下側に向けて傾斜させた状態で設けた。従って、ダンパ歯車部材１２を中心に鍵盤蓋１０を回転させるだけの簡単な操作で、鍵盤蓋１０を容易に開閉することができると共に、鍵盤蓋１０を安全に開閉することができる。また、楽器本体１内に鍵盤蓋を収納する必要がないので、楽器本体１の奥行きおよび厚みを薄くでき、楽器全体の小型化を図ることができる。【選択図】        図１
2011075724.tif 000002
【特許請求の範囲】
【請求項１】
鍵盤部を収容した楽器本体に前記鍵盤部を覆う鍵盤蓋が上下方向に回転可能に支持され、前記鍵盤蓋が回転して前記楽器本体の後方に傾斜した状態で起立することにより、前記鍵盤蓋が前記鍵盤部を開放する鍵盤蓋の蓋開閉装置において、
前記鍵盤蓋の両側に回転自在に設けられ、且つそれ自体が回転する際に負荷が付与されて制動されるダンパ歯車部材と、
前記楽器本体内の側面後部にその後部下側に向けて傾斜した状態で設けられ、前記鍵盤蓋が閉じた状態から所定角度に開いた際に前記ダンパ歯車部材を制動させながら前記楽器本体内の後部下側に向けてガイドするガイド部材と、
を備えていることを特徴とする鍵盤蓋の蓋開閉装置。
【請求項２】
前記ガイド部材は、前記ダンパ歯車部材が噛み合って転動するラックギア部と、前記ダンパ歯車部材の回転中心部を前記ラックギア部に沿って非回転状態でガイドするガイド溝と、を有していることを特徴とする請求項１に記載の鍵盤蓋の蓋開閉装置。
【請求項３】
前記ダンパ歯車部材は、前記鍵盤蓋の両側に回転自在に設けられる回転取付部を有して前記ガイド部材の前記ラックギア部に噛み合って転動するピニオンギア部と、このピニオンギア部に回転可能な状態で設けられて前記ガイド部材の前記ガイド溝に沿って非回転状態で移動する非回転移動部と、この非回転移動部と前記ピニオンギア部との両者に負荷を付与して両者の相対的な回転を制動する制動部材と、を備えていることを特徴とする請求項１または請求項２に記載の鍵盤蓋の蓋開閉装置。
【請求項４】
前記非回転移動部は、前記ダンパ歯車部材の前記ピニオンギア部内に回転可能な状態で設けられた回転部と、この回転部の回転中心部から前記ピニオンギア部の外部に突出して前記ガイド部材の前記ガイド溝に挿入する突起部とを有しており、この突起部はその断面形状が非円形状に形成されて前記ガイド部材の前記ガイド溝内に沿って非回転状態で移動することを特徴とする請求項３に記載の鍵盤蓋の蓋開閉装置。
【請求項５】
前記鍵盤蓋の両側に設けられた前記一対のダンパ歯車部材は、その両者の回転を同期させるための１本の連結軸に一体的に連結されていることを特徴とする請求項１〜請求項４のいずれかに記載の鍵盤蓋の蓋開閉装置。
【請求項６】
前記ガイド部材は、その上端部に位置して前記鍵盤蓋を閉じた状態から所定角度に開く際に前記ダンパ歯車部材を位置規制する第１支点部と、前記ガイド部材の下端部に位置して前記鍵盤蓋が前記所定角度に開いて前記ダンパ歯車部材が前記ガイド部材に沿って斜め後側下部に移動した際に前記ダンパ歯車部材を位置規制する第２支点部と、を備えていることを特徴とする請求項１〜請求項５のいずれかに記載の鍵盤蓋の蓋開閉装置。
【請求項７】
前記楽器本体の後端上部には、前記鍵盤蓋の開閉動作をガイドするための蓋ガイド部が設けられていることを特徴とする請求項１〜請求項６のいずれかに記載の鍵盤蓋の蓋開閉装置。
【請求項８】
前記蓋ガイド部は、前記鍵盤蓋を閉じた状態から前記所定角度に開く際に、前記鍵盤蓋の内面側後部をガイドしながら前記ダンパ歯車部材を前記ガイド部材の前記第１支点部に位置規制し、この位置規制された前記ダンパ歯車部材を中心に前記鍵盤蓋を開く方向に回転させるための第１角部と、前記鍵盤蓋が前記所定角度に開いた際に、前記鍵盤蓋の内面側後部をガイドしながら前記ダンパ歯車部材を前記ガイド部材に沿って斜め後側下部に移動させて前記ガイド部材の前記第２支点部に到達させるための傾斜面と、を備えていることを特徴とする請求項７に記載の鍵盤蓋の蓋開閉装置。
【請求項９】
前記蓋ガイド部は、前記鍵盤蓋が斜め後方に傾斜して起立した状態から前記鍵盤蓋が前記ガイド部材の前記第２支点部に位置する前記ダンパ歯車部材を中心に回転して閉じる際に、前記鍵盤蓋の内面側後部をガイドしながら前記鍵盤蓋を閉じる方向に回転移動させることにより、前記鍵盤蓋を斜め上方に向けて徐々に押上げながら、前記鍵盤蓋の内面側後部を前記蓋ガイド部の前記傾斜面に対面させるための第２角部を更に備えていることを特徴とする請求項７または請求項８に記載の鍵盤蓋の蓋開閉装置。
【請求項１０】
前記楽器本体の後端部には、前記鍵盤蓋が前記第２支点部に位置する前記ダンパ歯車部材を中心に開く方向に回転して斜め後方に傾斜した状態で起立した際に、前記鍵盤蓋の後端部が当接するストッパ部が設けられていることを特徴とする請求項１〜請求項９のいずれかに記載の鍵盤蓋の蓋開閉装置。
【発明の詳細な説明】
【技術分野】
【０００１】
この発明は、電子ピアノなどの鍵盤楽器に用いられる鍵盤蓋の蓋開閉装置に関する。
【背景技術】
【０００２】
従来、鍵盤楽器における鍵盤蓋の蓋開閉装置においては、特許文献１に記載されているように、楽器本体内に設けられた鍵盤部を開閉可能に覆う鍵盤蓋を前蓋と後蓋とに分割し、この分割された前蓋と後蓋とを折り畳み可能に連結すると共に、後蓋を楽器ケース内に設けられたガイドレールに沿って楽器本体内の後部側にスライドさせて収納するように構成したものが知られている。
【先行技術文献】
【特許文献】
【０００３】
【特許文献１】特開平０８−３１４４３５号公報
【０００４】
このような鍵盤蓋の蓋開閉装置では、鍵盤楽器を使用しないときに、前蓋と後蓋とを鍵盤部の上側に引き出した状態で、前蓋を後蓋に対して回転させて平坦状に開くことにより、前蓋と後蓋とで鍵盤部の上側を覆い、また鍵盤楽器を使用する際に、前蓋を後蓋上に折り畳んで重ね合わせ、この状態で後蓋を前蓋と共にガイドレールに沿って移動させることにより、鍵盤蓋を楽器本体内の後部側に収納している。
【発明の概要】
【発明が解決しようとする課題】
【０００５】
しかしながら、このような従来の鍵盤蓋の蓋開閉装置においては、鍵盤楽器を使用する際に、前蓋を後蓋上に折り畳んで重ね合わせ、この状態で楽器本体内の後部側に移動させて収納する構成であるから、鍵盤蓋の開閉作業が煩雑で面倒であると共に、鍵盤蓋の開閉動作を制動することができないため、手や指を怪我する恐れがあり、安全性に問題があるほか、前蓋と後蓋とを折り畳んだ状態で楽器本体内の後部側に収納する構成であるから、楽器本体の奥行きが長くなり、楽器全体が大型化するという問題がある。
【０００６】
この発明が解決しようとする課題は、鍵盤蓋の開閉操作が容易にできると共に、鍵盤蓋を安全に開閉することができ、且つ楽器全体の小型化を図ることができる鍵盤蓋の蓋開閉装置を提供することである。
【課題を解決するための手段】
【０００７】
この発明は、上記課題を解決するために、次のような構成要素を備えている。
請求項１に記載の発明は、鍵盤部を収容した楽器本体に前記鍵盤部を覆う鍵盤蓋が上下方向に回転可能に支持され、前記鍵盤蓋が回転して前記楽器本体の後方に傾斜した状態で起立することにより、前記鍵盤蓋が前記鍵盤部を開放する鍵盤蓋の蓋開閉装置において、前記鍵盤蓋の両側に回転自在に設けられ、且つそれ自体が回転する際に負荷が付与されて制動されるダンパ歯車部材と、前記楽器本体内の側面後部にその後部下側に向けて傾斜した状態で設けられ、前記鍵盤蓋が閉じた状態から所定角度に開いた際に前記ダンパ歯車部材を制動させながらガイドするガイド部材と、を備えていることを特徴とする鍵盤蓋の蓋開閉装置である。
【０００８】
請求項２に記載の発明は、前記ガイド部材が、前記ダンパ歯車部材が噛み合って転動するラックギア部と、前記ダンパ歯車部材の回転中心部を前記ラックギア部に沿って非回転状態でガイドするガイド溝と、を有していることを特徴とする請求項１に記載の鍵盤蓋の蓋開閉装置である。
【０００９】
請求項３に記載の発明は、前記ダンパ歯車部材が、前記鍵盤蓋の両側に回転自在に設けられる回転取付部を有して前記ガイド部材の前記ラックギア部に噛み合って回転するピニオンギア部と、このピニオンギア部に回転可能な状態で設けられて前記ガイド部材の前記ガイド溝に沿って非回転状態で移動する非回転移動部と、この非回転移動部と前記ピニオンギア部との両者に負荷を付与して両者の相対的な回転を制動する制動部材とを備えていることを特徴とする請求項１または請求項２に記載の鍵盤蓋の蓋開閉装置である。
【００１０】
請求項４に記載の発明は、前記非回転移動部が、前記ダンパ歯車部材の前記ピニオンギア部内に回転可能な状態で設けられた回転部と、この回転部の回転中心部から前記ピニオンギア部の外部に突出して前記ガイド部材の前記ガイド溝に挿入する突起部とを有しており、この突起部はその断面形状が非円形状に形成されて前記ガイド部材の前記ガイド溝内に沿って非回転状態で移動することを特徴とする請求項３に記載の鍵盤蓋の蓋開閉装置。
【００１１】
請求項５に記載の発明は、前記鍵盤蓋の両側に設けられた前記一対のダンパ歯車部材が、その両者の回転を同期させるための１本の連結軸に一体的に連結されていることを特徴とする請求項１〜請求項４のいずれかに記載の鍵盤蓋の蓋開閉装置である。
【００１２】
請求項６に記載の発明は、前記ガイド部材が、その上端部に位置して前記鍵盤蓋を閉じた状態から所定角度に開く際に前記ダンパ歯車部材を位置規制する第１支点部と、前記ガイド部材の下端部に位置して前記鍵盤蓋が前記所定角度に開いて前記ダンパ歯車部材が前記ガイド部材に沿って斜め後側下部に移動した際に前記ダンパ歯車部材を位置規制する第２支点部と、を備えていることを特徴とする請求項１〜請求項５のいずれかに記載の鍵盤蓋の蓋開閉装置である。
【００１３】
請求項７に記載の発明は、前記楽器本体の後端上部に、前記鍵盤蓋の開閉動作をガイドするための蓋ガイド部が設けられていることを特徴とする請求項１〜請求項６のいずれかに記載の鍵盤蓋の蓋開閉装置である。
【００１４】
請求項８に記載の発明は、前記蓋ガイド部が、前記鍵盤蓋を閉じた状態から前記所定角度に開く際に、前記鍵盤蓋の内面側後部をガイドしながら前記ダンパ歯車部材を前記ガイド部材の前記第１支点部に位置規制し、この位置規制された前記ダンパ歯車部材を中心に前記鍵盤蓋を開く方向に回転させるための第１角部と、前記鍵盤蓋が前記所定角度に開いた際に、前記鍵盤蓋の内面側後部をガイドしながら前記ダンパ歯車部材を前記ガイド部材に沿って斜め後側下部に移動させて前記ガイド部材の前記第２支点部に到達させるための傾斜面と、を備えていることを特徴とする請求項７に記載の鍵盤蓋の蓋開閉装置である。
【００１５】
請求項９に記載の発明は、前記蓋ガイド部が、前記鍵盤蓋を斜め後方に傾斜させて起立させた状態から前記ガイド部材の前記第２支点部に位置する前記ダンパ歯車部材を中心に前記鍵盤蓋を回転させて閉じる際に、前記鍵盤蓋の内面側後部をガイドしながら前記鍵盤蓋を閉じる方向に回転移動させることにより、前記鍵盤蓋を斜め上方に向けて徐々に押上げながら、前記鍵盤蓋の内面側後部を前記蓋ガイド部の前記傾斜面に対面させるための第２角部を更に備えていることを特徴とする請求項７または請求項８に記載の鍵盤蓋の蓋開閉装置である。
【００１６】
請求項１０に記載の発明は、前記楽器本体の後端部に、前記鍵盤蓋が前記第２支点部に位置する前記ダンパ歯車部材を中心に開く方向に回転して斜め後方に傾斜した状態で起立した際に、前記鍵盤蓋の後端部が当接するストッパ部が設けられていることを特徴とする請求項１〜請求項９のいずれかに記載の鍵盤蓋の蓋開閉装置である。
【発明の効果】
【００１７】
この発明によれば、鍵盤蓋を閉じた状態から所定角度に開くまでは、ガイド部材の上部に保持されたダンパ歯車部材を中心に鍵盤蓋を上方に回転させることができる。また、この鍵盤蓋が上方に回転して所定角度に開くと、ダンパ歯車部材がガイド部材に沿って制動されながら下側に移動するので、鍵盤蓋を斜め後部下側にゆっくり移動させることができる。さらに、この状態でダンパ歯車部材がガイド部材の下部に保持されると、この保持されたダンパ歯車部材を中心に鍵盤蓋を後方に回転させて斜め後方に傾斜させた状態で起立させることができる。
【００１８】
このため、ダンパ歯車部材を中心に鍵盤蓋を回転させるだけの操作であるから、鍵盤蓋の開閉操作が容易にできると共に、ダンパ歯車部材によって鍵盤蓋の開閉動作を制動することができるので、鍵盤蓋を安全に開閉することができる。また、楽器本体内に鍵盤蓋を収納する必要がないので、楽器本体の奥行きを短くすることができると共に、楽器本体の厚みをも薄くすることができるほか、楽器本体内のスペースが鍵盤蓋による影響をほとんど受けることがないので、楽器全体の大幅な小型化を図ることができる。
【図面の簡単な説明】
【００１９】
【図１】この発明を適用した鍵盤楽器の一実施形態において要部を分解して示した斜視図である。
【図２】図１の鍵盤楽器において鍵盤蓋が閉じた状態を示した拡大断面図である。
【図３】図１における鍵盤蓋に取り付けられたダンパ歯車部材の箇所を示した要部の拡大斜視図である。
【図４】図１における楽器本体の側板に設けられたガイド部材を示した拡大斜視図である。
【図５】図３のダンパ歯車部材を示した拡大斜視図である。
【図６】図３のＡ−Ａ矢視における拡大断面図である。
【図７】図６のダンパ歯車部材を分解して示した図である。
【図８】図４のガイド部材のＢ−Ｂ矢視における拡大断面図である。
【図９】図２における楽器本体のガイド部材、蓋ガイド部、および鍵盤蓋の関係を示した要部の拡大断面図である。
【図１０】図２の鍵盤楽器において鍵盤蓋の前部側を持ち上げた状態を示した拡大断面図である。
【図１１】図１０の鍵盤楽器において鍵盤蓋が第１支点部に位置するダンパ歯車部材を中心に更に開く方向に回転して所定角度に開いた状態を示した拡大断面図である。
【図１２】図１１の鍵盤楽器において鍵盤蓋が所定角度に開いて後部下側に向けてダンパ歯車部材と共に移動する状態を示した拡大断面図である。
【図１３】図１２の鍵盤楽器において鍵盤蓋が第２支点部に位置するダンパ歯車部材を中心に開く方向に回転する状態を示した拡大断面図である。
【図１４】図１３の鍵盤楽器において鍵盤蓋が斜め後方に傾いて起立した状態を示した拡大断面図である。
【図１５】図１４の鍵盤楽器において鍵盤蓋が閉じる方向に回転することにより、鍵盤蓋が斜め前側上方に向けて徐々に押上げられる状態を示した拡大断面図である。
【発明を実施するための形態】
【００２０】
以下、図１〜図１５を参照して、この発明を鍵盤楽器に適用した一実施形態について説明する。
この鍵盤楽器は、図１および図２に示すように、楽器本体１を備えている。この楽器本体１は、左右両側に位置して脚部を兼ねる一対の側板２（図１および図２では一方のみを示す）と、この一対の側板２間における上部側に設けられた底板３と、この底板３の前端部（図２では右側部）に起立して設けられた前板４と、底板３の後端部（図２では左側部）に起立して設けられて後述する鍵盤部６の後部上側を覆う背面板５とを備えている。
【００２１】
これにより、この楽器本体１は、その前側上部が開放された構成になっている。この楽器本体１の内部には、図１および図２に示すように、鍵盤部６が上側に露出した状態で設けられている。この鍵盤部６は、楽器本体の底板３上に配置された鍵盤シャーシ７と、この鍵盤シャーシ７上に上下方向に回転可能に配列された複数の鍵８と、この複数の鍵８の押鍵操作に応じて各鍵８にそれぞれアクション荷重を付与する複数のハンマー部材９と、複数の鍵８の各押鍵操作に応じてそれぞれスイッチ信号を出力するスイッチ部ＳＷとを備えている。
【００２２】
この場合、複数の鍵８は、図１および図２に示すように、白鍵および黒鍵からなり、これらが音階順に複数配列された構成になっている。複数のハンマー部材９は、図２に示すように、複数の鍵８の下側にそれぞれ対応した状態で、鍵盤シャーシ７にそれぞれ回転可能に取り付けられている。このハンマー部材９は、各鍵８の押鍵操作に応じてそれぞれ押し下げられる際に、各ハンマー部材９がその重量に抗してそれぞれ回転することにより、各鍵８にそれぞれアクション荷重を付与するように構成されている。
【００２３】
また、この楽器本体１の上部には、図１および図２に示すように、鍵盤部６を覆って楽器本体１の上部を塞ぐ鍵盤蓋１０が蓋開閉装置１１によって開閉自在に取り付けられている。この鍵盤蓋１０は、蓋開閉装置１１によって上下方向に回転移動することにより、図２に示すように、楽器本体１の上部に配置されて楽器本体１を閉じた際に鍵盤部６を覆い隠し、また図１４および図１５に示すように、楽器本体１の後方に（図１４では左側）に少し傾いた状態で楽器本体１を開いた際に鍵盤部６を上方に露出させるように構成されている。
【００２４】
この鍵盤蓋１０の蓋開閉装置１１は、図１〜図８に示すように、鍵盤蓋１０の左右の両側に回転自在に設けられた一対のダンパ歯車部材１２と、楽器本体１の一対の側板２における内面の後部にその後部下側に向けて傾斜した状態で設けられたガイド部材１３とを備えている。この場合、鍵盤蓋１０の内面における両側には、図１に示すように、一対のダンパ歯車部材１２を回転自在に取り付けるための一対の取付突起部１４が設けられている。また、この一対の取付突起部１４間には、一対のダンパ歯車部材１２を一体的に連結して同期回転させるための連結軸１５が、楽器本体１内を移動可能な状態で配置されている。
【００２５】
ダンパ歯車部材１２は、図３、図５〜図７に示すように、鍵盤蓋１０の取付突起部１４に回転自在に設けられる回転取付部１７を有するピニオンギア部１６と、このピニオンギア部１６に回転可能な状態で設けられた非回転移動部１８と、この非回転移動部１８とピニオンギア部１６との両者に負荷を付与して両者の相対的な回転を制動するための制動部材１９とを備えている。
【００２６】
この場合、ピニオンギア部１６は、図３および図６に示すように、その回転取付部１７がスペーサリング１７ａを介して鍵盤蓋１０の取付突起部１４に回転自在に取り付けられた状態で、楽器本体１内を移動可能に配置された連結軸１５に取り付けられている。これにより、一対のダンパ歯車部材１２は、図１に示すように、その両者の回転が同期されて連結軸１５と共に一体的に回転するように構成されている。
【００２７】
非回転移動部１８は、図３、図５〜図７に示すように、ピニオンギア部１６内に設けられた円形状の取付凹部１６ａ内に回転可能な状態で配置された回転部１８ａと、この回転部１８ａの回転中心に位置する箇所に設けられてピニオンギア部１６の側面から突出する突起部１８ｂとを備えている。この突起部１８ｂは、図５に示すように、その断面形状が長方形状をなす角棒状に形成されている。
【００２８】
また、制動部材１９は、図６および図７に示すように、ピニオンギア部１６の取付凹部１６ａの内面に設けられた円筒状の第１制動部１９ａと、この第１制動部１９ａの内面に圧接した状態で配置されて非回転移動部１８の回転部１８ａの外面に対面する第２制動部１９ｂと、この第２制動部１９ｂと回転部１８ａの外面との間に介在された潤滑剤１９ｃとを備え、ピニオンギア部１６と非回転移動部１８との両者に負荷を付与して、その両者の相対的な回転を制動するように構成されている。
【００２９】
一方、ガイド部材１３は、図４に示すように、アルミニウムなどの金属またはポリアセタールなどの合成樹脂によって細長い枠状の箱型に形成されている。このガイド部材１３は、図１および図２に示すように、楽器本体１の一対の側板２における内面の後部（図２では左側）に後下がりに傾斜した状態で埋め込まれている。このガイド部材１３の内部には、図４および図８に示すように、ダンパ歯車部材１２のピニオンギア部１６が噛み合って転動するラックギア部２０と、このラックギア部２０に沿って設けられて非回転移動部１８の突起部１８ｂが非回転状態で移動する突起ガイド溝２１とが一体に形成されている。
【００３０】
この場合、突起ガイド溝２１は、図４および図８に示すように、突起ガイド溝２１の長手方向に対して直交する溝幅Ｗ１が突起部１８ｂの短辺の長さＷ２とほぼ同じ（Ｗ１≒Ｗ２）長さで形成されている。すなわち、突起ガイド溝２１は、非回転移動部１８の突起部１８ｂが断面長方形の角棒状に形成されていることにより、非回転移動部１８の突起部１８ｂが挿入して突起ガイド溝２１の長手方向に沿って移動する際に、突起部１８ｂの回転を阻止して非回転移動部１８が回転しないように構成されている。
【００３１】
これにより、ダンパ歯車部材１２は、鍵盤蓋１０が図１１に示す所定角度θ（例えば５０°前後）に開いた際に、ピニオンギア部１６がガイド部材１３のラックギア部２０に噛み合って転動しながら後部下側（図１１では斜め左下側）に向けて移動すると共に、非回転移動部１８の突起部１８ｂが非回転状態でガイド部材１３の突起ガイド溝２１に沿って後部下側に移動し、このときにピニオンギア部１６がラックギア部２０に噛み合って回転しても、非回転移動部１８が回転しないため、ピニオンギア部１６が制動部材１９によって制動されながら後部下側に向けて移動し、鍵盤蓋１０を後部下側に向けてゆっくり移動させるように構成されている。
【００３２】
この場合、ガイド部材１３の上端部には、図２に示すように、鍵盤蓋１０を閉じた状態から所定角度に開くまで、ダンパ歯車部材１２を位置規制する第１支点部２２が設けられている。この第１支点部２２は、鍵盤蓋１０を閉じた状態から図１０に示す所定角度θ（例えば５０°前後）に開くまで、ダンパ歯車部材１２のピニオンギア部１６がガイド部材１３のラックギア部２０の上端部に噛み合っていることにより、ピニオンギア部１６を回転させずに位置規制して、ダンパ歯車部材１２の回転取付部１７を中心に鍵盤蓋１０を上下方向に回転させるように構成されている。
【００３３】
また、このガイド部材１３の下端部には、図１４および図１５に示すように、鍵盤蓋１０が所定角度に開いてダンパ歯車部材１２がガイド部材１３に沿って斜め後側下部に移動した際に、ダンパ歯車部材１２を位置規制する第２支点部２３が設けられている。この第２支点部２３は、鍵盤蓋１０が図１１に示す所定角度θ（例えば５０°前後）に開いてダンパ歯車部材１２がガイド部材１３に沿って斜め後側下部（図１４では斜め左下側）に移動した際に、ダンパ歯車部材１２のピニオンギア部１６がガイド部材１３のラックギア部２０の上端部に噛み合っていることにより、ピニオンギア部１６を回転させずに位置規制して、ダンパ歯車部材１２の回転取付部１７を中心に鍵盤蓋１０を後方に回転させて斜め後方に傾斜させて起立させるように構成されている。
【００３４】
この場合、楽器本体１の上部、つまり背面板５の後面上部には、図１４に示すように、鍵盤蓋１０が第２支点部２３に位置するダンパ歯車部材１２の回転取付部１７を中心に開く方向（後方）に回転して斜め後方に傾斜した状態で起立した際に、鍵盤部１０の後端部１０ａが当接するストッパ部２４が設けられている。また、楽器本体１の後端上部、つまり背面板５の後端上部（図２では左端上部）における両側には、図１、図２および図９に示すように、鍵盤蓋１０の開閉動作を規制しながらガイドするための一対の蓋ガイド部２５が設けられている。
【００３５】
この蓋ガイド部２５は、図１０および図１１に示すように、鍵盤蓋１０が閉じた状態から所定角度θ（例えば５０°前後）まで開く際に、鍵盤蓋１０の後部側の内面（図１０では下面）をガイドしながらダンパ歯車部材１２をガイド部材１３の第１支点部２２に位置規制し、この位置規制されたダンパ歯車部材１２の回転取付部１７を中心に鍵盤蓋１０を開く方向（図１０では反時計回り）に回転させように構成されている。
【００３６】
また、この蓋ガイド部２５は、図１１に示すように、鍵盤蓋１０が所定角度θ（例えば５０°前後）に開いた際に、図１２に示すように、鍵盤蓋１０の自重によってダンパ歯車部材１２をガイド部材１３に沿って斜め後側下部(図１２では斜め左下側)に移動させ、図１３に示すように、ダンパ歯車部材１２をガイド部材１３の第２支点部２３に到達させるように構成されている。
【００３７】
また、この蓋ガイド部２５は、図１５に示すように、鍵盤蓋１０が斜め後方(図１５では斜め左上側)に傾斜して起立した状態から、鍵盤蓋１０がガイド部材１３の第２支点部２３に位置するダンパ歯車部材１２を中心に回転して閉じる際に、鍵盤蓋１０の後部側の内面をガイドしながら鍵盤蓋１０を閉じる方向（図１５では時計回り）に回転移動させることにより、斜め上方に向けて徐々に押上げられた鍵盤蓋１０の後部側の内面を傾斜面２５ｃに対面させ、ダンパ歯車部材１２をガイド部材１３の第２支点部２３から第１支点部２２に向けて移動可能な状態にするように構成されている。
【００３８】
すなわち、この蓋ガイド部２５は、図９〜図１５に示すように、鍵盤蓋１０の後部側の内面がほぼ水平な状態で当接する水平部２５ａと、鍵盤蓋１０を開閉する際に鍵盤蓋１０の後部側の内面をガイドしながら回転移動させるための上側角部２５ｂと、鍵盤蓋１０を上下方向に向けて斜めに移動させるための傾斜面２５ｃと、鍵盤蓋１０が傾斜した状態で起立した際に鍵盤蓋１０の後部側の内面をガイドしながら前後方向に回転移動するためのほぼ円弧状の下側角部２５ｄとを備えている。
【００３９】
水平部２５ａは、図９に示すように、鍵盤蓋１０が鍵盤部２を覆って閉じた状態のときに、鍵盤蓋１０の後部側の内面（図９では下面）がほぼ水平な状態で当接して、鍵盤蓋１０の後部側を支持するように構成されている。この場合、鍵盤蓋１０は、図２に示すように、その前側部が側板２の内面に設けられた前受部２ａによって支持されることにより、楽器本体１の上部に配置されて鍵盤部６を覆うように構成されている。
【００４０】
上側角部２５ｂは、図１０および図１１に示すように、鍵盤蓋１０が鍵盤部２を覆って閉じた状態から開く際に、鍵盤蓋１０の後部側の内面をガイドしながらダンパ歯車部材１２をガイド部材１３の第１支点部２２に位置規制し、この位置規制されたダンパ歯車部材１２の回転取付部１７を中心に鍵盤蓋１０を開く方向（図４では反時計回り）に回転させるように構成されている。また、この上側角部２５ｂは、鍵盤蓋１０を閉じる際にも、ほぼ同様に機能する。
【００４１】
傾斜面２５ｃは、図１１に示すように、鍵盤蓋１０が所定角度θ（例えば５０°前後）に開いた際に、鍵盤蓋１０の内面（図１１では下面）が傾斜面２５ａに対してほぼ平行な状態になることにより、図１２に示すように、鍵盤蓋１０をその自重によって斜め後側下部(図１２では斜め左下側)に向けて移動させると共に、図１３に示すように、ダンパ歯車部材１２をガイド部材１３に沿って斜め後側下部に移動させるように構成されている。
【００４２】
この場合、傾斜面２５ｃは、図１１および図１２に示すように、その傾斜角度が鍵盤蓋１０の所定の開き角度（例えば５０°前後の所定角度θ）とほぼ同じか、それよりも少し小さい角度で傾斜している。これにより、傾斜面２５ｃは、ダンパ歯車部材１２がガイド部材１３に沿って斜め後側下部（図１１では斜め左下側）に移動する際に、鍵盤蓋１０の後部側の内面がほとんど接触せずに鍵盤蓋１０を斜め後側下部に移動させるように形成されている。
【００４３】
すなわち、この傾斜面２５ｃは、図９に示すように、上側角部２５ｂ側に位置する上部と第１支点部２２との距離Ｌ１が、ダンパ歯車部材１２の回転中心と鍵盤蓋１０の内面との距離Ｌよりも少し小さく（Ｌ１＜Ｌ）形成されていると共に、下側角部２５ｄ側に位置する下部と第２支点部２３との距離Ｌ２よりも少し小さく（Ｌ１＜Ｌ２）形成されている。また、下側角部２５ｄ側に位置する下部と第２支点部２３との距離Ｌ２は、ダンパ歯車部材１２の回転中心と鍵盤蓋１０の内面との距離Ｌとほぼ同じか、それよりも少し小さく（Ｌ２≦Ｌ）形成されている。
【００４４】
これにより、鍵盤蓋１０は、図１２および図１３に示すように、所定角度θに開いた状態で第１支点部２２に位置するダンパ歯車部材１２の回転取付部１７を中心に回転する際に、ダンパ歯車部材１２の回転中心と鍵盤蓋１０の内面との距離Ｌが上側角部２５ｂ側に位置する上部と第１支点部２２との距離Ｌ１よりも大きく、且つ下側角部２５ｄ側に位置する下部と第２支点部２３との距離Ｌ２が上側角部２５ｂ側に位置する上部と第１支点部２２との距離Ｌ１よりも大きいことにより、鍵盤蓋１０が傾斜面２５ｃにほとんど接触せずに斜め後側下部に向けて移動するように構成されている。
【００４５】
一方、下側角部２５ｄは、図１３〜図１５に示すように、第２支点部２３に位置するダンパ歯車部材１２の回転取付部１７を中心に鍵盤蓋１０が開く方向（図１４では反時計回り）に回転する際に、鍵盤部１０の後部側の内面（図１４では右側面）をガイドしながら鍵盤蓋１０を前後方向に回転させて、鍵盤蓋１０の後部側の内面を楽器本体１のストッパ部２４に当接させるように構成されている。
【００４６】
また、この下側角部２５ｄは、図１５に示すように、鍵盤蓋１０の後部側の内面が楽器本体１のストッパ部２４に当接して鍵盤蓋１０が斜め後方（図１５では斜め左上側)に傾斜して起立した状態から、第２支点部２３に回転可能に保持されたダンパ歯車部材１２の回転取付部１７を中心に、鍵盤蓋１０を閉じる方向（図１５では時計回り）に回転させる際に、鍵盤蓋１０の後部側の内面をガイドしながら、鍵盤蓋１０を斜め上方に向けて徐々に押上げ、この押し上げられた鍵盤蓋１０の後部側の内面を蓋ガイド部２５の傾斜面２５ｃに対面させるように構成されている。
【００４７】
これにより、鍵盤蓋１０は、図１５に示すように、第２支点部２３に位置するダンパ歯車部材１２の回転取付部１７を中心に閉じる方向（図１５では時計回り）に回転すると、斜め上方に向けて徐々に押上げられ、鍵盤蓋１０の後部側の内面が蓋ガイド部２５の傾斜面２５ｃに対面し、この傾斜面２５ｃに沿って斜め上方に移動可能な状態にすると共に、ダンパ歯車部材１２がガイド部材１３の第２支点部２３から第１支点部２２に向けて移動可能な状態にするように構成されている。
【００４８】
すなわち、この鍵盤蓋１０は、図１３に示すように、鍵盤蓋１０の後部側の内面が蓋ガイド部２５の傾斜面２５ｃに対面すると、上側角部２５ｂ側に位置する上部と第１支点部２２との距離Ｌ１が、下側角部２５ｄ側に位置する下部と第２支点部２３との距離Ｌ２よりも少し小さく（Ｌ１＜Ｌ２）形成されていることにより、図１２に示すように、蓋ガイド部２５の上側角部２５ｂを中心に閉じる方向に回転可能な状態になり、これにより蓋ガイド部２５の上側角部２５ｂを中心に閉じる方向に回転されると、ダンパ歯車部材１２をガイド部材１３の第２支点部２３から第１支点部２２に向けて移動させるように構成されている。
【００４９】
次に、この鍵盤楽器における鍵盤蓋１０の蓋開閉装置の作用について説明する。
鍵盤蓋１０を閉じた状態から開く場合には、図１０に示すように、鍵盤蓋１０の前側を持ち上げる。このときには、図１０および図１１に示すように、鍵盤蓋１０の後部側の内面が蓋ガイド部２５の上側角部２５ｂにガイドされるので、ダンパ歯車部材１２がガイド部材１３の第１支点部２２に位置規制され、この位置規制されたダンパ歯車部材１２の回転取付部１７を中心に鍵盤蓋１０が開く方向（図１０では上方）に回転する。
【００５０】
そして、図１２に示すように、鍵盤蓋１０が所定角度θ、例えば５０°前後に開くと、鍵盤蓋１０の後部側の内面が蓋ガイド部２５の傾斜面２５ｃとほぼ平行になるので、ダンパ歯車部材１２がガイド部材１３に沿って斜め後側下部に向けて移動可能な状態になる。これにより、鍵盤蓋１０は、その自重によって斜め後側下部に向けて移動すると共に、ダンパ歯車部材１２がガイド部材１３に沿って斜め下側に向けて移動する。
【００５１】
すなわち、ダンパ歯車部材１２は、ピニオンギア部１６がガイド部材１３のラックギア部２０に噛み合って転動しながら後部下側（図１２では斜め左下側）に向けて移動すると共に、非回転移動部１８の突起部１８ｂが非回転状態でガイド部材１３の突起ガイド溝２１に沿って後部下側に移動する。このときには、ピニオンギア部１６がラックギア部２０に噛み合って回転しても、非回転移動部１８が回転しないため、ピニオンギア部１６が制動部材１９によって制動されながら後部下側に向けてゆっくり回転移動する。
【００５２】
このため、鍵盤蓋１０は、ダンパ歯車部材１２が制動されながら転動することにより、鍵盤蓋１０の重量が加わっても後部下側に向けてゆっくり移動することになる。そして、図１３に示すように、ダンパ歯車部材１２がガイド部材１３の下部に移動して第２支点部２３に到達すると、ダンパ歯車部材１２が第２支点部２３に位置規制され、この位置規制されたダンパ歯車部材１２の回転取付部１７を中心に鍵盤蓋１０が更に開く方向（図１３では後方）に回転可能な状態になる。
【００５３】
この状態で、図１４に示すように、ダンパ歯車部材１２の回転取付部１７を中心に鍵盤蓋１０を後方（図１４では反時計回り）に回転させて楽器本体１の後部側に向けて傾ける。すると、鍵盤蓋１０の後端部１０ａが背面板５のストッパ部２４に当接して、鍵盤蓋１０が後方に傾斜した状態で起立する。これにより、鍵盤蓋１０が安定した状態で起立して保持され、楽器本体１の上部が開放されて鍵盤部２が露呈するので、鍵盤部２を操作して良好に演奏することができる。
【００５４】
一方、鍵盤蓋１０を閉じる場合には、図１５に示すように、ガイド部材１３の第２支点部２３に位置して保持されたダンパ歯車部材１２の回転取付部１７を中心に、鍵盤蓋１０を前方（図１５では時計回り）に回転させる。このときには、鍵盤蓋１０の後部側の内面が蓋ガイド部２５の下側角部２５ｄにガイドされながら閉じる方向（図１５では前側上方）に向けて回転移動し、鍵盤蓋１０が徐々に押上げられる。
【００５５】
そして、鍵盤蓋１０が所定角度θ、例えば５０°前後に傾くと、鍵盤蓋１０の後部側の内面が蓋ガイド部２５の傾斜面２５ｃに対面する。これにより、鍵盤蓋１０の後部側の内面が蓋ガイド部２５の傾斜面２５ｃに沿って斜め上方に向けて移動可能な状態になると共に、ダンパ歯車部材１２がガイド部材１３に沿って第２支点部２３から第１支点部２２に向けて斜め上方に移動可能な状態になる。
【００５６】
また、このときには、鍵盤蓋１０の後部側の内面が蓋ガイド部２５の傾斜面２５ｃに対面することにより、蓋ガイド部２５の上側角部２５ｂを中心に、鍵盤蓋１０が閉じる方向に回転可能な状態になる。このため、上側角部２５ｂを中心に鍵盤蓋１０を閉じる方向（前側下方）に向けて回転させると、鍵盤蓋１０が徐々に前側に移動しながら、ダンパ歯車部材１２を自動的にガイド部材１３に沿って第２支点部２３から第１支点部２２に向けて斜め上方に移動させる。
【００５７】
このときにも、ダンパ歯車部材１２は、ピニオンギア部１６がガイド部材１３のラックギア部２０に噛み合って転動しながら斜め上方（図１３では斜め右上側）に向けて移動すると共に、非回転移動部１８の突起部１８ｂが非回転状態でガイド部材１３の突起ガイド溝２１に沿って斜め上方に移動する。このときにも、ピニオンギア部１６がラックギア部２０に噛み合って回転しても、非回転移動部１８が回転しないため、ピニオンギア部１６が制動部材１９によって制動されながら斜め上方に向けてゆっくり回転移動する。
【００５８】
そして、鍵盤蓋１０が閉じる方向に回転して、ダンパ歯車部材１２が第１支点部２２に到達すると、図１１に示すように、鍵盤蓋１０の後部側の内面が蓋ガイド部２５の上側角部２５ｂにガイドされる状態になるので、ダンパ歯車部材１２が第１支点部２２に位置規制され、この位置規制されたダンパ歯車部材１２の回転取付部１７を中心に鍵盤蓋１０が閉じる方向（下側）に回転可能な状態になる。この状態で、鍵盤蓋１０を更に閉じる方向に回転させると、図２に示すように、鍵盤蓋１０が楽器本体１の上部に配置されて鍵盤部６を覆った状態で楽器本体１の上部を塞ぐ。
【００５９】
このように、この鍵盤蓋１０の蓋開閉装置１１では、鍵盤蓋１０を閉じた状態から所定角度θに開く際に、蓋ガイド部２５によってダンパ歯車部材１２がガイド部材１３の第１支点部２２に位置規制され、この位置規制されたダンパ歯車部材１２の回転取付部１７を中心に鍵盤蓋１０を回転させることができる。また、鍵盤蓋１０が所定角度θに開くと、ダンパ歯車部材１２がガイド部材１３に沿って斜め後側下部に向けて移動するので、鍵盤蓋１０をその自重によって斜め後側下部に向けて移動させることができる。
【００６０】
すなわち、ダンパ歯車部材１２は、ピニオンギア部１６がガイド部材１３のラックギア部２０に噛み合って転動しながら後部下側に向けて移動すると共に、非回転移動部１８の突起部１８ｂがガイド部材１３の突起ガイド溝２１に沿って非回転状態で後部下側に移動する。このときには、ピニオンギア部１６がラックギア部２０に噛み合って回転しても、非回転移動部１８が回転しないため、ピニオンギア部１６が制動部材１９によって制動されながら後部下側に向けてゆっくり回転移動するので、鍵盤蓋１０がその自重によって急激に降下せずに、鍵盤蓋１０を後部下側に向けて安全にゆっくり移動させることができる。
【００６１】
また、ダンパ歯車部材１２がガイド部材１３に沿って斜め後側下部に向けて移動すると、ダンパ歯車部材１２をガイド部材１３の第２支点部２３に当接させることができる。この状態では、第２支点部２３に位置するダンパ歯車部材１２の回転取付部１７を中心に鍵盤蓋１０を開く方向に回転させることにより、鍵盤蓋１０を斜め後方に傾斜させた状態で起立させることができる。
【００６２】
このため、この鍵盤蓋１０の蓋開閉装置１１によれば、鍵盤蓋１０に回転自在に取り付けられたダンパ歯車部材１２を中心に鍵盤蓋１０を回転させるだけの簡単な操作で、鍵盤蓋１０を開閉することができるので、鍵盤蓋１０の開閉操作が容易にできると共に、鍵盤蓋１０の開閉動作をダンパ歯車部材１２によって制動することができるので、安全に鍵盤蓋１０を開閉することができる。また、楽器本体１内に鍵盤蓋１０を収納する必要がないので、楽器本体１の奥行きを短くすることができると共に、楽器本体１の上下方向の厚みを薄くすることができるほか、楽器本体１内のスペースが鍵盤蓋１０による影響をほとんど受けることがないので、楽器全体を大幅に小型化することができる。
【００６３】
この場合、ガイド部材１３は、ダンパ歯車部材１２が噛み合って転動するラックギア部２０と、ダンパ歯車部材１２の回転中心部をラックギア部に沿って非回転状態でガイドする突起ガイド溝２１とを有していることにより、ダンパ歯車部材１２がガイド部材１３のラックギア部２０に噛み合って転動しながら後部下側に向けて移動する際に、ダンパ歯車部材１２の回転中心部をガイド部材１３の突起ガイド溝２１内に沿って非回転状態で移動させることができ、これによりダンパ歯車部材１２を制動しながらガイド部材１３に沿って後部下側に向けてゆっくり回転移動させることができる。
【００６４】
また、ダンパ歯車部材１２は、鍵盤蓋１０の両側に回転自在に設けられる回転取付部１７を有してガイド部材１３のラックギア部２０に噛み合って回転するピニオンギア部１６と、このピニオンギア部１６に回転可能な状態で設けられてガイド部材１３の突起ガイド溝２１に沿って非回転状態で移動する非回転移動部１８と、この非回転移動部１８の回転部１８ａとピニオンギア部１６との両者に負荷を付与してその両者の相対的な回転を制動する制動部材１９とを備えていることにより、鍵盤蓋１０が所定角度θに開いて、鍵盤蓋１０の自重によってダンパ歯車部材１２がガイド部材１３に沿って斜め後側下部に向けて移動する際に、鍵盤蓋１０を斜め後側下部に向けてゆっくり移動させることができる。
【００６５】
すなわち、ダンパ歯車部材１２は、ピニオンギア部１６がガイド部材１３のラックギア部２０に噛み合って転動しながら後部下側に向けて移動すると共に、非回転移動部１８の回転中心部がガイド部材１３の突起ガイド溝２１に沿って非回転状態で後部下側に移動するので、ラックギア部２０に噛み合って回転するピニオンギア部１６を制動部材１９によって制動しながら後部下側に向けてゆっくり回転移動させることができ、これにより鍵盤蓋１０を後部下側に向けて安全にゆっくり移動させることができる。
【００６６】
この場合、非回転移動部１８は、ダンパ歯車部材１２のピニオンギア部１６内に回転可能な状態で設けられた回転部１８ａと、この回転部１８ａの回転中心部からピニオンギア部１６の外部に突出してガイド部材１３の突起ガイド溝２１に挿入する突起部１８ｂとを有しており、この突起部１８ｂは、その断面形状が長方形状に形成されてガイド部材１３の突起ガイド溝２１に沿って非回転状態で移動することにより、ダンパ歯車部材１２がガイド部材１３に沿って後部下側に向けて移動する際に、ピニオンギア部１６がラックギア部２０に噛み合って回転しても、非回転移動部１８が回転しないため、ピニオンギア部１６を制動部材１９によって確実に且つ良好に制動することができる。
【００６７】
また、鍵盤蓋１０の両側に設けられた一対のダンパ歯車部材１２は、その両者の回転を同期させるための１本の連結軸１５に一体的に連結されているので、ダンパ歯車部材１２のピニオンギア部１６がガイド部材１３のラックギア部２０に噛み合って転動しながら後部下側に向けて移動する際に、連結軸１５によって一対のダンパ歯車部材１２の各ピニオンギア部１６が同期して同じ回転速度で回転させることができる。このため、一対のダンパ歯車部材１２の各ピニオンギア部１６がそれぞれ独立して回転する場合に比べて、一対のダンパ歯車部材１２の各ピニオンギア部１６を制動部材１９によって確実に制動することができ、より安全に鍵盤蓋１０を後部下側に向けて移動させることができる。
【００６８】
また、ガイド部材１３は、その上端部に位置して鍵盤蓋１０を閉じた状態から所定角度に開く際にダンパ歯車部材１２を位置規制する第１支点部２２と、ガイド部材１３の下端部に位置して鍵盤蓋１０が所定角度に開いてダンパ歯車部材１２がガイド部材１３に沿って斜め後側下部に移動した際にダンパ歯車部材１２を位置規制する第２支点部２３と、を備えているので、鍵盤蓋１０を閉じた状態から所定角度に開く際に第１支点部２２によってダンパ歯車部材１２を位置規制することができ、またダンパ歯車部材１２がガイド部材１３に沿って斜め後側下部に移動した際に第２支点部２３によってダンパ歯車部材１２を位置規制することができる。
【００６９】
これにより、鍵盤蓋１０を閉じた状態から所定角度に開く際に第１支点部２２によって位置規制されたダンパ歯車部材１２の回転取付部１７を中心に鍵盤蓋１０を上下方向に円滑に回転させることができ、またダンパ歯車部材１２がガイド部材１３に沿って斜め後側下部に移動した際に第２支点部２３によって位置規制されたダンパ歯車部材１２の回転取付部１７を中心に鍵盤蓋１０を前後方向に円滑に回転させることができると共に、鍵盤蓋１０を楽器本体１の後方に傾けて良好に起立させることができる。
【００７０】
また、この蓋開閉装置１１によれば、楽器本体１の後端上部に鍵盤蓋１０の開閉動作をガイドするための蓋ガイド部２５が設けられているので、鍵盤蓋１０を開閉する際に、蓋ガイド部２５によって鍵盤蓋１０を安定した状態で開閉動作させることができ、これによっても安全に且つ円滑に鍵盤蓋１０を開閉することができる。
【００７１】
この場合、蓋ガイド部２５は、鍵盤蓋１０が鍵盤部２を覆った状態から開く際に、鍵盤蓋１０の後部側の内面をガイドするための上側角部２５ｂを備えているので、この上側角部２５ｂによってダンパ歯車部材１２をガイド部材１３の第１支点部２２に位置規制することができ、この位置規制されたダンパ歯車部材１２の回転取付部１７を中心に鍵盤蓋１０を開く方向に回転させることができるので、鍵盤蓋１０を開く方向に安定させた状態で円滑に且つ良好に回転させることができる。
【００７２】
また、この蓋ガイド部２５は、鍵盤蓋１０が所定角度に開いた際に、鍵盤蓋１０を斜め下側に向けて移動させるための傾斜面２５ｃを備えているので、鍵盤蓋１０が所定角度に開いた際に、傾斜面２５ｃに沿って鍵盤蓋１０を斜め下側に向けて移動させることができると共に、ダンパ歯車部材１２をガイド部材１３に沿って斜め後側下部に移動させてガイド部材１３の第２支点部２３に到達させることができ、これにより鍵盤蓋１０を安定した状態で円滑に且つ良好に斜め下側に向けて移動させることができる。
【００７３】
さらに、この蓋ガイド部２５は、鍵盤蓋１０が斜め後方に傾斜して起立した状態から鍵盤蓋１０がガイド部材１３の第２支点部２３に位置するダンパ歯車部材１２を中心に回転して閉じる際に、鍵盤蓋１０をガイドして蓋ガイド部２５の傾斜面２５ｃに対面させるための下側角部２５ｄを更に備えているので、第２支点部２３に位置するダンパ歯車部材１２を中心に鍵盤蓋１０を閉じる方向に回転させると、鍵盤蓋１０が斜め上方に向けて徐々に押上げられて、鍵盤蓋１０の後部側の内面を蓋ガイド部２５の傾斜面２５ｃに対面させることができる。
【００７４】
このため、鍵盤蓋１０が斜め後方に傾斜して起立した状態で、誤って鍵盤蓋１０がガイド部材１３の第２支点部２３に位置するダンパ歯車部材１２を中心に閉じる方向に回転して、鍵盤蓋１０が楽器本体１の前側に向けて傾いても、鍵盤蓋１０の後部側の内面を蓋ガイド部２５の傾斜面２５ｃに当接させることができるので、鍵盤蓋１０が勝手に楽器本体１の上部に倒れるのを防ぐことができ、これにより安全性の高いものを提供することができる。
【００７５】
また、鍵盤蓋１０の後部側の内面が蓋ガイド部２５の傾斜面２５ｃに対面した際には、蓋ガイド部２５の傾斜面２５ｃの上部に位置する上側角部２５ｂが、鍵盤蓋１０を閉じる方向にガイドする状態になるので、上側角部２５ｂを中心に鍵盤蓋１０を閉じる方向に回転させると、鍵盤蓋１０が徐々に前側に移動しながら、ダンパ歯車部材１２を自動的にガイド部材１３に沿って第２支点部２３から第１支点部２２に向けて移動させることができる。これにより、鍵盤蓋１０を閉じる際に鍵盤蓋１０を安定した状態で円滑に且つ良好に閉じることができる。
【００７６】
この場合、楽器本体１の後端部つまり背面板５の後面上部には、鍵盤蓋１０が第２支点部２３に位置するダンパ歯車部材１２の回転取付部１７を中心に回転して斜め後方に傾斜した状態で起立した際に、鍵盤部１０の後端部１０ａが当接するストッパ部２４が設けられているので、鍵盤蓋１０が第２支点部２３に位置するダンパ歯車部材１２の回転取付部１７を中心に回転して斜め後方に傾斜した状態で起立しても、ストッパ部２４によって安定した状態で鍵盤蓋１０を後方に傾けて起立させることができる。
【００７７】
なお、前述した実施形態では、鍵盤蓋１０を開閉する際に、楽器本体１の背面板５に設けられた蓋ガイド部２５が鍵盤蓋１０の内面をガイドするように構成した場合について述べたが、必ずしも鍵盤蓋１０の内面を蓋ガイド部２５でガイドする必要はなく、例えば鍵盤蓋１０の両側に設けられてダンパ歯車部材１２が回転自在に取り付けられる一対の取付突起部１４を蓋ガイド部２５でガイドするように構成しても良い。
【００７８】
また、前述した実施形態では、ダンパ歯車部材１２における非回転移動部１８の突起部１８ｂが断面長方形の角棒状に形成されている場合について述べたが、必ずしも突起部１８ｂは断面長方形の角棒状である必要はなく、例えば断面形状が三角形、四角形、五角形、六角形、台形、菱形などの多角形の棒状、または断面形状が楕円形などの棒状に形成されていても良い。要するに、突起部は突起ガイド溝２１内で回転しない形状であれば、どのような形状であっても良い。
【００７９】
さらに、前述した実施形態では、ダンパ歯車部材１２のピニオンギア部１６と非回転移動部１８との両者の相対的な回転を制動部材１９によって制動するように構成した場合について述べたが、これ以外に、例えばダンパ歯車部材１２におけるピニオンギア部１６の回転取付部１７と鍵盤蓋１０の取付突起部１４との両者の相対的な回転をも制動するように構成して良い。このように構成すれば、ダンパ歯車部材１２の回転取付部１７を中心に鍵盤蓋１０が回転する際にも、その鍵盤蓋１０の回転動作をも制動することができるので、より一層、安全に鍵盤蓋１０を開閉することができる。
【００８０】
また、前述した実施形態では、鍵盤蓋１０のダンパ歯車部材１２をガイドするガイド部材１３が後部下側に向けてほぼ直線的に傾斜し、これに伴って蓋ガイド部２５の傾斜面２５ｃも平面的に形成されている場合について述べたが、これに限らず、ガイド部材１３を後部側に向けて凸となるように湾曲させて形成し、これに伴って蓋ガイド部２５の傾斜面２５ｃも後側に向けて凸となる湾曲面に形成した構成であっても良い。このように構成すれば、鍵盤蓋１０のダンパ歯車部材１２がガイド部材１３に沿って移動する際に、鍵盤蓋１０を円滑に且つ良好に移動させることができる。
【００８１】
なおまた、前述した実施形態では、押鍵操作時に各鍵８にそれぞれアクション荷重を付与する複数のハンマー部材９を備えた鍵盤楽器に適用した場合について述べたが、必ずしもハンマー部材９を備えた鍵盤楽器である必要はなく、ハンマー部材９を用いない簡易型の鍵盤楽器にも広く適用することができる。
【符号の説明】
【００８２】
１  楽器本体
２  側板
３  底板
４  前板
５  背面板
６  鍵盤部
１０  鍵盤蓋
１０ａ  鍵盤蓋の後端部
１１  蓋開閉装置
１２  ダンパ歯車部材
１３  ガイド部材
１４  取付突起部
１５  連結軸
１６  ピニオンギア部
１７  回転取付部
１８  非回転移動部
１８ａ  回転部
１８ｂ  突起部
１９  制動部材
２０  ラックギア部
２１  突起ガイド溝
２２  第１支点部
２３  第２支点部
２４  ストッパ部
２５  蓋ガイド部
２５ａ  水平部
２５ｂ  上側角部
２５ｃ  傾斜面
２５ｄ  下側角部
【図１】
2011075724.tif 000003
【図２】
2011075724.tif 000004
【図３】
2011075724.tif 000005
【図４】
2011075724.tif 000006
【図５】
2011075724.tif 000007
【図６】
2011075724.tif 000008
【図７】
2011075724.tif 000009
【図８】
2011075724.tif 000010
【図９】
2011075724.tif 000011
【図１０】
2011075724.tif 000012
【図１１】
2011075724.tif 000013
【図１２】
2011075724.tif 000014
【図１３】
2011075724.tif 000015
【図１４】
2011075724.tif 000016
【図１５】
2011075724.tif 000017